(57)【要約】【課題】部屋の陰陽圧の即時切り替えと小口径の室圧制御用バルブによる室圧補正制御を可能とする。【解決手段】室圧制御システムは、給気バルブＭＡＶと、排気バルブＧＥＸと、室圧制御用バルブＰＣＶと、コントローラ１０３〜１０５を備える。コントローラ１０３は、給気風量と排気風量との差がオフセット風量設定値に一致するように給気バルブＭＡＶと排気バルブＧＥＸを制御する風量バランス制御部と、外部から部屋１００の陰陽圧の切り替えの指示を受けたときにオフセット風量設定値を切り替えるオフセット風量設定値切替部を備える。コントローラ１０５は、基準室１１０と部屋１００との室間差圧が室圧設定値に一致するように室圧制御用バルブＰＣＶを制御する室圧補正制御部と、オフセット風量設定値の切り替えと連動して、室圧設定値を切り替える室圧設定値切替部を備える。【選択図】  図１
2016020770.tif 000002
【特許請求の範囲】
【請求項１】
対象施設へ吹き出す給気の風量を調節する給気バルブと、
前記対象施設から吸い出す排気の風量を調節する排気バルブと、
前記給気バルブによって調節される給気風量と前記排気バルブによって調節される排気風量との差がオフセット風量設定値に一致するように、前記給気バルブと前記排気バルブのうち室圧制御用バルブとして用いない方のバルブを制御する風量バランス制御手段と、
基準室圧に設定された基準室と前記対象施設との室間差圧が室圧設定値に一致するように、前記給気バルブと前記排気バルブのうち室圧制御用バルブとして動作させる方のバルブを制御する室圧補正制御手段と、
外部から前記対象施設の陰陽圧の切り替えの指示を受けたときに、前記オフセット風量設定値を切り替えるオフセット風量設定値切替手段と、
前記オフセット風量設定値の切り替えと連動して、前記室圧設定値を切り替える室圧設定値切替手段とを備えることを特徴とする室圧制御システム。
【請求項２】
請求項１記載の室圧制御システムにおいて、
前記オフセット風量設定値切替手段は、陽圧から陰圧への切替指示を受けときに、前記オフセット風量設定値を陽圧制御用のオフセット風量設定値から陰圧制御用のオフセット風量設定値へと切り替え、陰圧から陽圧への切替指示を受けたときに、前記オフセット風量設定値を前記陰圧制御用のオフセット風量設定値から前記陽圧制御用のオフセット風量設定値へと切り替え、
前記室圧設定値切替手段は、陽圧から陰圧への切替指示を受けたときに、前記室圧設定値を陽圧制御用の室圧設定値から陰圧制御用の室圧設定値へと切り替え、陰圧から陽圧への切替指示を受けたときに、前記室圧設定値を前記陰圧制御用の室圧設定値から前記陽圧制御用の室圧設定値へと切り替えることを特徴とする室圧制御システム。
【請求項３】
請求項１または２記載の室圧制御システムにおいて、
前記給気バルブと前記排気バルブのうち何れか一方を室圧制御用バルブとして動作させる代わりに、給気風量と排気風量のうち何れか一方を調節する室圧制御用バルブを別に備え、
前記風量バランス制御手段は、前記給気バルブによって調節される給気風量と前記排気バルブによって調節される排気風量との差がオフセット風量設定値に一致するように、前記給気バルブと前記排気バルブとを制御することを特徴とする室圧制御システム。
【請求項４】
対象施設に設置された給気バルブによって調節される給気風量と前記対象施設に設置された排気バルブによって調節される排気風量との差がオフセット風量設定値に一致するように、前記給気バルブと前記排気バルブのうち室圧制御用バルブとして用いない方のバルブを制御する風量バランス制御ステップと、
前記給気バルブと前記排気バルブのうち室圧制御用バルブとして動作させる方のバルブを制御して、基準室圧に設定された基準室と前記対象施設との室間差圧を室圧設定値に一致させる室圧補正制御ステップと、
外部から前記対象施設の陰陽圧の切り替えの指示を受けたときに、前記オフセット風量設定値を切り替えるオフセット風量設定値切替ステップと、
前記オフセット風量設定値の切り替えと連動して、前記室圧設定値を切り替える室圧設定値切替ステップとを含むことを特徴とする室圧制御方法。
【請求項５】
請求項４記載の室圧制御方法において、
前記オフセット風量設定値切替ステップは、陽圧から陰圧への切替指示を受けときに、前記オフセット風量設定値を陽圧制御用のオフセット風量設定値から陰圧制御用のオフセット風量設定値へと切り替え、陰圧から陽圧への切替指示を受けたときに、前記オフセット風量設定値を前記陰圧制御用のオフセット風量設定値から前記陽圧制御用のオフセット風量設定値へと切り替え、
前記室圧設定値切替ステップは、陽圧から陰圧への切替指示を受けたときに、前記室圧設定値を陽圧制御用の室圧設定値から陰圧制御用の室圧設定値へと切り替え、陰圧から陽圧への切替指示を受けたときに、前記室圧設定値を前記陰圧制御用の室圧設定値から前記陽圧制御用の室圧設定値へと切り替えることを特徴とする室圧制御方法。
【請求項６】
請求項４または５記載の室圧制御方法において、
前記給気バルブと前記排気バルブのうち何れか一方を室圧制御用バルブとして動作させる代わりに、給気風量と排気風量のうち何れか一方を調節する室圧制御用バルブを別に備え、
前記風量バランス制御ステップは、前記給気バルブによって調節される給気風量と前記排気バルブによって調節される排気風量との差がオフセット風量設定値に一致するように、前記給気バルブと前記排気バルブとを制御することを特徴とすることを特徴とする室圧制御方法。
【発明の詳細な説明】
【技術分野】
【０００１】
本発明は、室内への給気風量や排気風量の制御により室圧を一定に保つ室圧制御システムに係り、特に部屋の陰陽圧の切り替えに対応した室圧制御システムおよび室圧制御方法に関するものである。
【背景技術】
【０００２】
従来、換気対象室を陽圧にする陽圧運転モードと換気対象室を陰圧にする陰圧運転モードとを切り替える技術として、給排気ダンパの切り替え操作や給排気ファンのインバータ制御などにより換気装置の運転モードを切り替え、換気装置が陽圧運転モードと陰圧運転モードのいずれの運転モードにあるかを換気対象室の入口または出口において表示する技術が提案されている（特許文献１参照）。
【先行技術文献】
【特許文献】
【０００３】
【特許文献１】特開２００５−１１４３１７号公報
【発明の概要】
【発明が解決しようとする課題】
【０００４】
特許文献１に開示された技術によれば、換気対象室の内部に設けられた陰陽圧切換スイッチを操作することで運転モードを切り替えることができ、例えば雑菌や塵埃の室内への侵入を防止したり病原菌の室外漏出を防止したりする緊急時対応の運転モード切り替えを実現することができる。しかし、従来の技術では、室圧を厳密に制御したい場合には小口径の室圧制御用バルブを用いるが、陰陽圧切替に対応するためには、給気と排気の風量差を逆転させるための風量変更を必要とし、その結果、室圧制御用バルブの口径が大きくなってしまうという問題点があった。
【０００５】
本発明は、上記課題を解決するためになされたもので、部屋の陰陽圧の即時切り替えと小口径の室圧制御用バルブによる室圧補正制御を可能とする室圧制御システムおよび室圧制御方法を提供することを目的とする。
【課題を解決するための手段】
【０００６】
本発明の室圧制御システムは、対象施設へ吹き出す給気の風量を調節する給気バルブと、前記対象施設から吸い出す排気の風量を調節する排気バルブと、前記給気バルブによって調節される給気風量と前記排気バルブによって調節される排気風量との差がオフセット風量設定値に一致するように、前記給気バルブと前記排気バルブのうち室圧制御用バルブとして用いない方のバルブを制御する風量バランス制御手段と、基準室圧に設定された基準室と前記対象施設との室間差圧が室圧設定値に一致するように、前記給気バルブと前記排気バルブのうち室圧制御用バルブとして動作させる方のバルブを制御する室圧補正制御手段と、外部から前記対象施設の陰陽圧の切り替えの指示を受けたときに、前記オフセット風量設定値を切り替えるオフセット風量設定値切替手段と、前記オフセット風量設定値の切り替えと連動して、前記室圧設定値を切り替える室圧設定値切替手段とを備えることを特徴とするものである。
【０００７】
また、本発明の室圧制御システムの１構成例において、前記オフセット風量設定値切替手段は、陽圧から陰圧への切替指示を受けときに、前記オフセット風量設定値を陽圧制御用のオフセット風量設定値から陰圧制御用のオフセット風量設定値へと切り替え、陰圧から陽圧への切替指示を受けたときに、前記オフセット風量設定値を前記陰圧制御用のオフセット風量設定値から前記陽圧制御用のオフセット風量設定値へと切り替え、前記室圧設定値切替手段は、陽圧から陰圧への切替指示を受けたときに、前記室圧設定値を陽圧制御用の室圧設定値から陰圧制御用の室圧設定値へと切り替え、陰圧から陽圧への切替指示を受けたときに、前記室圧設定値を前記陰圧制御用の室圧設定値から前記陽圧制御用の室圧設定値へと切り替えることを特徴とするものである。
また、本発明の室圧制御システムの１構成例は、前記給気バルブと前記排気バルブのうち何れか一方を室圧制御用バルブとして動作させる代わりに、給気風量と排気風量のうち何れか一方を調節する室圧制御用バルブを別に備え、前記風量バランス制御手段は、前記給気バルブによって調節される給気風量と前記排気バルブによって調節される排気風量との差がオフセット風量設定値に一致するように、前記給気バルブと前記排気バルブとを制御することを特徴とするものである。
【０００８】
また、本発明の室圧制御方法は、対象施設に設置された給気バルブによって調節される給気風量と前記対象施設に設置された排気バルブによって調節される排気風量との差がオフセット風量設定値に一致するように、前記給気バルブと前記排気バルブのうち室圧制御用バルブとして用いない方のバルブを制御する風量バランス制御ステップと、前記給気バルブと前記排気バルブのうち室圧制御用バルブとして動作させる方のバルブを制御して、基準室圧に設定された基準室と前記対象施設との室間差圧を室圧設定値に一致させる室圧補正制御ステップと、外部から前記対象施設の陰陽圧の切り替えの指示を受けたときに、前記オフセット風量設定値を切り替えるオフセット風量設定値切替ステップと、前記オフセット風量設定値の切り替えと連動して、前記室圧設定値を切り替える室圧設定値切替ステップとを含むことを特徴とするものである。
【発明の効果】
【０００９】
本発明によれば、給気バルブと排気バルブのうち何れか一方を室圧制御用バルブとし、部屋の陰陽圧切り替え時に室圧設定値の切り替えに連動させてオフセット風量設定値を切り替えて制御を行うようにする。本発明では、部屋の陰陽圧切り替えによる給排気の風量差の変化を、給気バルブと排気バルブのうち室圧制御用バルブとして用いない方のバルブに任せ、室圧設定値が切り替わったことによる風量切り替えと切り替え完了後の室圧の補正制御のみを室圧制御用バルブで行う。その結果、本発明では、部屋の陰陽圧の即時切り替えと、小口径の室圧制御用バルブによる室圧補正制御を可能とし、部屋の陰陽圧切り替えによる室圧の乱れを抑えることができる。また、本発明では、室圧設定値の切り替えにオフセット風量設定値の切り替えを連動させることで、部屋の陰陽圧の切り替え時間を短縮することができる。
【図面の簡単な説明】
【００１０】
【図１】本発明の実施の形態に係る室圧制御システムの構成を示す図である。
【図２】本発明の実施の形態に係る給気バルブを制御するコントローラの構成例を示すブロック図である。
【図３】本発明の実施の形態に係る室圧制御用バルブを制御するコントローラの構成例を示すブロック図である。
【図４】本発明の実施の形態に係る室圧制御システムの風量バランス制御動作と室圧補正制御動作を説明するフローチャートである。
【図５】本発明の実施の形態に係る室圧制御システムの陰陽圧切替動作を説明するフローチャートである。
【図６】オフセット風量設定値と室圧設定値の切り替えによる風量切り替えと室圧補正制御の切り替えの様子を示す図である。
【発明を実施するための形態】
【００１１】
以下、本発明の実施の形態について図面を参照して説明する。図１は本発明の実施の形態に係る室圧制御システムの構成を示す図である。本実施の形態の室圧制御システムは、部屋１００に給気を供給する給気ダクト１０１と、部屋１００の空気を排気する排気ダクト１０２と、給気ダクト１０１の風量を調整する給気バルブＭＡＶと、排気ダクト１０２の風量を調整する排気バルブＧＥＸと、給気ダクト１０１に設けられた室圧制御用バルブＰＣＶと、給気バルブＭＡＶを制御するコントローラ１０３と、排気バルブＧＥＸを制御するコントローラ１０４と、室圧制御用バルブＰＣＶを制御するコントローラ１０５と、各コントローラ１０３〜１０５を互いに接続する通信線１０６と、所定の基準室１１０と部屋１００との圧力差を計測する差圧センサ１０７と、部屋１００内に設置された陰陽圧切替スイッチ１０８とから構成される。
【００１２】
図２は本実施の形態のコントローラ１０３の構成を示すブロック図である。コントローラ１０３は、給気バルブＭＡＶによって調節される給気風量と排気バルブＧＥＸによって調節される排気風量との差がオフセット風量設定値に一致するように、給気バルブＭＡＶの給気風量と排気バルブＧＥＸの排気風量とを決定して、給気バルブＭＡＶと排気バルブＧＥＸとを制御する風量バランス制御部１と、外部から部屋１００の陰陽圧の切り替えの指示を受けたときにオフセット風量設定値を切り替えるオフセット風量設定値切替部２とを備えている。
【００１３】
図３は本実施の形態のコントローラ１０５の構成を示すブロック図である。コントローラ１０５は、基準室圧に設定された基準室１１０と部屋１００との室間差圧が室圧設定値に一致するように室圧制御用バルブＰＣＶを制御する室圧補正制御部３と、オフセット風量設定値の切り替えと連動して、室圧設定値を切り替える室圧設定値切替部４とを備えている。
【００１４】
次に、本実施の形態の室圧制御システムの風量バランス制御動作と室圧補正制御動作について説明する。図４は風量バランス制御動作と室圧補正制御動作を説明するフローチャートである。本実施の形態では、室圧制御用バルブＰＣＶを給気ダクト１０１に配置した場合について説明する。給気バルブＭＡＶによって調節する給気の風量をＶｍａｖ、室圧制御用バルブＰＣＶによって調節する給気の風量をＶｐｃｖ、排気ダクト１０２で吸い出す排気の風量をＶｇｅｘとする。
【００１５】
コントローラ１０３の風量バランス制御部１は、給気風量Ｖｍａｖと排気風量Ｖｇｅｘとの差がオフセット風量設定値αに一致するように、給気風量Ｖｍａｖと排気風量Ｖｇｅｘとを決定する（図４ステップＳ１）。
Ｖｍａｖ＝Ｖｇｅｘ＋α                                          ・・・（１）
ただし、風量バランス制御部１は、対象施設（図１の部屋１００）の最低換気風量を満足させるよう、少なくとも最低風量を常に吹き出すように給気風量Ｖｍａｖを決定する。
【００１６】
風量バランス制御部１は、給気バルブＭＡＶによって調節される給気の風量がステップＳ１で決定した風量Ｖｍａｖとなるように給気バルブＭＡＶの開度を制御する（図４ステップＳ２）。また、風量バランス制御部１は、排気バルブＧＥＸによって調節される排気風量がステップＳ１で決定した風量Ｖｇｅｘとなるようにコントローラ１０４を介して排気バルブＧＥＸの開度を制御する（図４ステップＳ３）。
【００１７】
一方、差圧センサ１０７は、基準室圧に設定された基準室１１０と部屋１００との室間差圧を計測する。コントローラ１０５の室圧補正制御部３は、差圧センサ１０７によって計測された室間差圧が室圧設定値βに一致するように、給気風量Ｖｐｃｖを決定する（図４ステップＳ４）。そして、室圧補正制御部３は、室圧制御用バルブＰＣＶによって調節される給気の風量がステップＳ４で決定した風量Ｖｐｃｖとなるように室圧制御用バルブＰＣＶの開度を制御する（図４ステップＳ５）。
こうして、例えばユーザからの指示により風量制御が終了するまで（図４ステップＳ６においてＹＥＳ）、ステップＳ１〜Ｓ５の処理が制御周期毎に繰り返し行われる。
【００１８】
次に、部屋１００の陰陽圧の切り替えを行う陰陽圧切替動作について説明する。部屋１００の陰陽圧を切り替える例としては、例えば部屋１００内で生物化学物質を扱う実験をしている場合に、通常は雑菌や塵埃等の不純物が部屋１００内に流入しないように部屋１００を陽圧にすることで、部屋１００の室圧を外部よりも高くしてその差圧により不純物の部屋１００への流入を防止し、生物化学物質が部屋１００の外に漏れ出すことを防止する必要があるときには、部屋１００を陰圧にすることで、部屋１００の室圧を外部よりも低くしてその差圧により部屋１００からの生物化学物質の漏出を防止する、といった例がある。本実施の形態では、部屋１００内に居る人が陰陽圧切替スイッチ１０８を操作するか、あるいは対象施設の管理者が監視センタの端末（不図示）を操作することで、部屋１００の陰陽圧を切り替えることができるようになっている。
【００１９】
図５は陰陽圧切替動作を説明するフローチャートである。コントローラ１０３のオフセット風量設定値切替部２は、陰陽圧切替スイッチ１０８あるいは端末（不図示）の操作によって陰陽圧切替の指示を受けた場合（図５ステップＳ１０においてＹＥＳ）、オフセット風量設定値αを切り替える（図５ステップＳ１１）。オフセット風量設定値αとしては、陽圧制御用のオフセット風量設定値α１（例えばα１＝＋５００ｍ3／ｈ）、陰圧制御用のオフセット風量設定値α２（α２＜α１で、例えばα２＝−５００ｍ3／ｈ）が予め用意されている。
【００２０】
なお、部屋１００に人が居る昼間の時間帯の給気風量Ｖｍａｖと人が居ない夜間の時間帯の給気風量Ｖｍａｖとは、陽圧制御の場合と陰圧制御の場合の各々について予め設定されている。したがって、時間帯別および陰陽圧制御別の給気風量Ｖｍａｖは既知の値であるので、これら既知の値を考慮してオフセット風量設定値αを陽圧制御と陰圧制御のそれぞれについて設定しておけばよい。上記のとおり、排気風量Ｖｇｅｘは、給気風量Ｖｍａｖとオフセット風量設定値αとに基づいて、式（１）を満たすように決定される。
【００２１】
オフセット風量設定値切替部２は、陰陽圧切替スイッチ１０８あるいは端末の操作によって陽圧から陰圧への切替指示を受けた場合、オフセット風量設定値αを陽圧制御用のオフセット風量設定値α１から陰圧制御用のオフセット風量設定値α２へと切り替え、逆に、陰圧から陽圧への切替指示を受けた場合、オフセット風量設定値αを陰圧制御用のオフセット風量設定値α２から陽圧制御用のオフセット風量設定値α１へと切り替える。
【００２２】
一方、コントローラ１０５の室圧設定値切替部４は、陰陽圧切替スイッチ１０８あるいは端末の操作によって陰陽圧切替の指示を受けた場合、室圧設定値βを切り替える（図５ステップＳ１２）。室圧設定値βとしては、陽圧制御用の室圧設定値β１（例えばβ１＝＋２０Ｐａ）、陰圧制御用の室圧設定値β２（β２＜β１で、例えばβ２＝−２０Ｐａ）が予め用意されている。
【００２３】
室圧設定値切替部４は、陰陽圧切替スイッチ１０８あるいは端末の操作によって陽圧から陰圧への切替指示を受けた場合、室圧設定値βを陽圧制御用の室圧設定値β１から陰圧制御用の室圧設定値β２へと切り替え、逆に、陰圧から陽圧への切替指示を受けた場合、室圧設定値βを陰圧制御用の室圧設定値β２から陽圧制御用の室圧設定値β１へと切り替える。
オフセット風量設定値αと室圧設定値βを切り替えた後の風量バランス制御動作と室圧補正制御動作は上記で説明したとおりである。
【００２４】
室圧制御用バルブＰＣＶは細かい室圧の補正制御を行うため、なるべく小口径のバルブを使用する必要がある。部屋１００の陰陽圧の切り替えは、給気と排気間の風量差の変化が大きいため、室圧制御用バルブＰＣＶのみでその変化を制御しようとすると、室圧制御用バルブＰＣＶの口径が大きくなってしまう。
【００２５】
そこで、本実施の形態では、オフセット風量設定値αを陽圧制御用のオフセット風量設定値α１と陰圧制御用のオフセット風量設定値α２の２つ設け、部屋１００の陰陽圧切り替え時に室圧設定値βの切り替えに連動させてオフセット風量設定値αも切り替えて制御を行うようにする。これにより、部屋１００の陰陽圧切り替えによる給排気の風量差の変化を給気バルブＭＡＶと排気バルブＧＥＸに任せ、室圧設定値βが切り替わったことによる風量切り替えと切り替え完了後の室圧の補正制御のみを室圧制御用バルブＰＣＶで行うようにすることができる。こうして、本実施の形態では、部屋１００の陰陽圧の即時切り替えと、小口径の室圧制御用バルブＰＣＶによる室圧補正制御を可能とし、部屋１００の陰陽圧切り替えによる室圧の乱れを抑えることができる。また、室圧設定値βの切り替えにオフセット風量設定値αの切り替えを連動させることで、部屋１００の陰陽圧の切り替え時間を短縮することができる。
【００２６】
オフセット風量設定値αと室圧設定値βの切り替えによる風量切り替えと室圧補正制御の切り替えの様子を図６に示す。陽圧設定時には、上記のとおりオフセット風量設定値α＝α１＝＋５００ｍ3／ｈ、室圧設定値β＝β１＝＋２０Ｐａとし、オフセット風量設定値α＝α１＝＋５００ｍ3／ｈを中心とした室圧維持のための±２００ｍ3／ｈの風量補正制御を室圧制御用バルブＰＣＶで行う。同様に、陰圧設定時には、オフセット風量設定値α＝α２＝−５００ｍ3／ｈ、室圧設定値β＝β２＝−２０Ｐａとし、オフセット風量設定値α＝α２＝−５００ｍ3／ｈを中心とした室圧維持のための±２００ｍ3／ｈの風量補正制御を室圧制御用バルブＰＣＶで行う。
【００２７】
なお、本実施の形態では、室圧制御用バルブＰＣＶを給気ダクト１０１に配置しているが、排気ダクト１０２に配置してもよい。この場合、Ｖｐｃｖは、室圧制御用バルブＰＣＶによって調節する排気の風量となる。
【００２８】
また、給気バルブＭＡＶと排気バルブＧＥＸのうち何れか一方を室圧制御用バルブＰＣＶとしてもよい。この場合、給気バルブＭＡＶを室圧制御用バルブＰＣＶとすれば、室圧補正制御部３による制御によって給気風量Ｖｍａｖ＝Ｖｐｃｖが決まるので、風量バランス制御部１は、式（１）を満たすように排気風量Ｖｇｅｘを決定して、室圧制御用バルブＰＣＶとして用いない方の排気バルブＧＥＸを制御することになる。同様に、排気バルブＧＥＸを室圧制御用バルブＰＣＶとすれば、室圧補正制御部３による制御によって排気風量Ｖｇｅｘ＝Ｖｐｃｖが決まるので、風量バランス制御部１は、式（１）を満たすように給気風量Ｖｍａｖを決定して、室圧制御用バルブＰＣＶとして用いない方の給気バルブＭＡＶを制御することになる。
【００２９】
本実施の形態で説明した各コントローラ１０３〜１０５は、例えばＣＰＵ（Central Processing Unit）、記憶装置およびインタフェースを備えたコンピュータとこれらのハードウェア資源を制御するプログラムによって実現することができる。各コントローラ１０３〜１０５のＣＰＵは、各コントローラの記憶装置に格納されたプログラムに従って本実施の形態で説明した処理を実行する。
【産業上の利用可能性】
【００３０】
本発明は、室圧制御システムに適用することができる。
【符号の説明】
【００３１】
１…風量バランス制御部、２…オフセット風量設定値切替部、３…室圧補正制御部、４…室圧設定値切替部、１００…部屋、１０１…給気ダクト、１０２…排気ダクト、１０３〜１０５…コントローラ、１０６…通信線、１０７…差圧センサ、１０８…陰陽圧切替スイッチ、１１０…基準室、ＭＡＶ…給気バルブ、ＧＥＸ…排気バルブ、ＰＣＶ…室圧制御用バルブ。
【図１】
2016020770.tif 000003
【図２】
2016020770.tif 000004
【図３】
2016020770.tif 000005
【図４】
2016020770.tif 000006
【図５】
2016020770.tif 000007
【図６】
2016020770.tif 000008